(57)【要約】【課題】  携帯端末装置が複数の無線通信ユニットと認証しているときはひとつの無線通信ユニットと認証が途切れても警報が鳴らないようにする使用制限システムを提供する。【解決手段】  携帯端末装置２０との間で認証を行う無線通信ユニット３０が複数ある場合には、いずれかひとつの無線通信ユニット３０Ａ（３０Ｂ）との認証が途切れても他の無線通信ユニット３０Ｂ（３０Ａ）により認証が可能なので、認証が途切れたときには、認証が行われている無線通信ユニット３０Ａ、３０Ｂが複数あることを通知するとともに、警報が鳴らないように制限する。【選択図】  図１
2007019945.tif 000002
【特許請求の範囲】
【請求項１】
携帯端末装置と、前記携帯端末装置と所定の認証動作を行う無線通信ユニットとを備えた使用制限システムであって、
前記携帯端末装置と複数の前記無線通信ユニットとの間で認証が行われている場合には、前記複数の無線通信ユニットと認証状態にあることを前記複数の無線通信ユニットに通知する機能を備えた携帯端末装置。
【請求項２】
請求項１記載の携帯端末装置より、複数の無線通信ユニットと認証状態であることを通知された場合、前記携帯端末装置との認証が途切れても警報を鳴らさない無線通信ユニット。
【請求項３】
請求項１の携帯端末装置及び請求項２に記載の無線通信ユニットにおいて、
前記複数の無線通信ユニットと認証状態が継続していれば、いずれかの無線通信ユニットとの認証が途切れても認証の途切れた前記無線通信ユニットの警報を鳴らさない使用制限システム。
【請求項４】
携帯端末装置と、前記携帯端末装置と所定の認証動作を行う複数の無線通信ユニットとを備えた使用制限システムであって、認証が行われている前記複数の無線通信ユニットのうち、いずれかの無線通信ユニットを優先させたい場合には、その他の無線通信ユニットを一時的にスリープ状態とする請求項３に記載の使用制限システム。
【請求項５】
前記スリープ状態にある無線通信ユニットのスリープ状態が延長可能である請求項４に記載の使用制限システム。
【発明の詳細な説明】
【技術分野】
【０００１】
本発明は、携帯端末装置と、この携帯端末装置と所定の認証動作を行う無線通信ユニットとを備え、携帯端末の使用を制限する使用制限システムに関するものである。
【背景技術】
【０００２】
近年、広く普及している携帯電話などの携帯端末装置の進歩はめざましく、様々な機能が付加されるようになった。そのため、携帯端末装置には電話番号などの個人情報だけでなく、電子マネーの情報などが保存されるようになり、携帯端末装置を置き忘れたり、盗難されたりした場合には重大な被害にあうことも少なくない。
この問題を解決するため、携帯端末の紛失や盗難により手元を離れた携帯端末装置と携帯端末装置の所有者が身に付ける識別信号送信ユニット（以下、「キー」とも呼ぶ。）とで相互に通信（ポーリング）を行い、携帯端末装置とキーの距離が一定以上離れたら携帯端末装置が自動ロックし、キー側で警報がなるという発明が開示されている（例えば特許文献１参照）。
【０００３】
この使用制限装置は、識別信号送信ユニットと使用制限の対象機器に一体に設けられる使用制限解除ユニットとから成り、両ユニット共送、受信器を備え、送信ユニットからの識別コード信号を解除ユニットで受信し、その信号に基づいて使用制限の解除信号を出力し、送信ユニットでは送り返される確認コード信号があれば正常状態とし、両ユニットが一定距離以上離れると受信レベルが低下することにより解除ユニットは解除信号を停止させ、送信ユニットでは警告を与えるようにする。
【特許文献１】特許−２９３１２７６号公報（図３）
【発明の開示】
【発明が解決しようとする課題】
【０００４】
ところで、ひとつの携帯端末装置に対して、複数の無線通信ユニットが認証可能な場合が考えられる。例えば携帯端末装置の使用許可を複数人に与えるために、複数のキーを用意したり、常に身に付けるためのキーと自宅など安全が保証できる場所に置いておくためのキーを用意したりする場合などである。このような場合、従来技術では一つの携帯端末装置と複数の無線通信ユニットとが認証動作を行うが、携帯端末装置と複数のうちのいずれかの無線通信ユニットとの認証が切れると、他の無線通信ユニットとの認証が行われているにもかかわらず警報がなってしまい、所有者が不便に感じるといった課題があった。
【０００５】
また、無線通信ユニットの数が多数ある場合に、いずれかの無線通信ユニットを優先させて使いたいときがある。このような場合にも選択した無線通信ユニットを優先させることができないため、所有者が不便に感じるといった課題があった。
【０００６】
本発明は、前述した問題点に鑑みてなされたものであり、その目的は、携帯端末装置が複数の無線通信ユニットと認証しているときはひとつの無線通信ユニットと認証が途切れても警報が鳴らないようにする使用制限システムを提供することにある。
【課題を解決するための手段】
【０００７】
本発明にかかる使用制限システムは、携帯端末装置と、前記携帯端末装置と所定の認証動作を行う無線通信ユニットとを備えた使用制限システムであって、前記携帯端末装置と複数の前記無線通信ユニットとの間で認証が行われている場合には、前記複数の無線通信ユニットと認証状態にあることを前記複数の無線通信ユニットに通知する機能を備えた構成を有している。
【０００８】
このように構成された使用制限システムにおいては、携帯端末装置との間で認証を行う無線通信ユニットが複数ある場合には、認証が行われている無線通信ユニットが複数あることを通知するので、使用者は無線通信ユニットが複数あるのを知ることができる。これにより、使用者の利便性を向上させることができる。
【０００９】
本発明にかかる使用制限システムは、複数の無線通信ユニットと認証状態であることを通知された場合、前記携帯端末装置との認証が途切れても警報を鳴らさない構成を有している。
【００１０】
このように構成された使用制限システムにおいては、携帯端末装置との間で認証が行われている無線通信ユニットが複数あることが通知された場合、いずれかの無線通信ユニットとの認証が途切れても、警報が鳴らないように制限する。これにより、使用者の利便性を向上させることができる。
【００１１】
本発明にかかる使用制限システムは、前記複数の無線通信ユニットと認証状態が継続していれば、いずれかの無線通信ユニットとの認証が途切れても認証の途切れた前記無線通信ユニットの警報を鳴らさない構成を有している。
【００１２】
このように構成された使用制限システムにおいては、携帯端末装置との間で認証を行う無線通信ユニットが複数ある場合において、いずれかの無線通信ユニットと認証状態にあれば、いずれかの無線通信ユニットとの認証が途切れても、警報が鳴らないように制限する。これにより、認証可能であるにもかかわらず警報が発せられるのを防止することができ、使用者の利便性を向上させることができる。
【００１３】
また、本発明にかかる使用制限システムは、携帯端末装置と、前記携帯端末装置と所定の認証動作を行う複数の無線通信ユニットとを備えた使用制限システムであって、認証が行われている前記複数の無線通信ユニットのうち、いずれかの無線通信ユニットを優先させたい場合には、その他の無線通信ユニットを一時的にスリープ状態とする構成を有している。
【００１４】
このように構成された使用制限システムにおいては、携帯端末装置との間で認証を行う無線通信ユニットが複数ある場合に、使用しない無線通信ユニットを一時的にスリープ状態として使用する無線通信ユニットを優先させるようにすることができるので、使用者の利便性を向上することができる。また、使用しない無線通信ユニットの消費電力を抑えることができ、使用する無線通信ユニットとの干渉を抑えることができる。
【００１５】
また、本発明にかかる使用制限システムは、前記スリープ状態にある無線通信ユニットのスリープ状態が延長可能である構成を有している。
【００１６】
このように構成された使用制限システムにおいては、優先させる無線通信ユニット以外のスリープ状態にある無線通信ユニットのスリープ状態を、必要に応じてさらに延長させることができるので、使用者の利便性を向上することができる。また、使用しない無線通信ユニットの消費電力をさらに抑えることができ、使用する無線通信ユニットとの干渉を抑えることができる。
【発明の効果】
【００１７】
本発明によれば、携帯端末装置との間で認証を行う無線通信ユニットが複数ある場合には、複数の無線通信ユニットと認証状態が継続していれば、いずれかの無線通信ユニットとの認証が途切れても、認証の途切れた無線通信ユニットの警報が鳴らないようにするので、従来のように、いずれかの無線通信ユニットと認証状態が継続しているにもかかわらず、認証の途切れた無線通信ユニットの警報が発せられるという問題を解消でき、選択した無線通信ユニットを優先させることができるため、所有者の利便性を向上することができ、使用しない無線通信ユニットの消費電力を抑えることができ、使用する無線通信ユニットとの干渉を抑えることができるという効果が得られる。
【発明を実施するための最良の形態】
【００１８】
以下、本発明に係る実施形態を図面に基づいて詳細に説明する。
図１は本発明の使用制限システムに係る第１実施形態を示す構成図、図２は本発明に係る使用制限システムの動きを示すタイムチャートである。
【００１９】
図１および図２に示すように、本発明の第１実施形態である使用制限システム１０は、携帯端末装置２０と、この携帯端末装置２０と所定の認証動作を行う複数の無線通信ユニット３０Ａ，３０Ｂとを備えた使用制限システム１０であって、前記携帯端末装置２０が複数の無線通信ユニット３０Ａ，３０Ｂとの間で認証が行われている場合には、前記複数の無線通信ユニット３０Ａ，３０Ｂと認証状態であることを無線通信ユニット３０Ａ，３０Ｂに通知するとともに、この複数の無線通信ユニット３０Ａ，３０Ｂのうち、いずれかの無線通信ユニット３０Ａ，３０Ｂと認証が途切れても警報を鳴らさないようになっている。
なお、図１において、無線通信ユニットが一つしか描かれていなため、あたかも携帯端末装置と無線通信ユニットとが一対一の関係のように描かれているが、実際には複数の無線通信ユニットが携帯端末装置に対して並行して認証動作を行う。
【００２０】
図１に示すように、携帯電話等の携帯端末装置２０は、内部に無線認証部２１を有しており、携帯端末装置２０と無線通信ユニット３０Ａ，３０Ｂとの認証を行う。無線認証部２１には、ＩＤの送信または受信を行う認証送受信部２１ａ、認証を行うためのＩＤを記憶するＩＤ記憶部２１ｂ、ＩＤ記憶部２１ｂの持つＩＤと受信したＩＤの照合を行う認証制御部２１ｃ、複数の無線通信ユニットと認証されていることを示す制御信号を生成する制御信号生成部２１ｄを備えている。
【００２１】
ここでは、機能を明確にするため、認証制御部２１ｃと制御信号生成部２１ｄとを分けているが、認証制御部２１ｃに制御信号生成部２１ｄの機能が含まれていても良い。また、スピーカ２２、表示部２３、ボタン入力部２４、これらおよび無線認証部２１を制御する制御部２５、さらに、送受信部２６を備えている。なお、電源である電池２７も有している。
一方、無線通信ユニット３０Ａ，３０Ｂにも無線認証部３１が設けられており、送受信部３１ａ、ＩＤ制御部３１ｂ、制御部３１ｃを有している。さらに、制御信号に従い警報通知部のＯＮ、ＯＦＦを行うスイッチ３２、携帯端末装置と無線通信ユニットとの認証が切れたときに通知する警報通知部３３を有しており、電源である電池３４も有している。
【００２２】
次に、動作説明をする。
まず、図２に示すように、無線認証の基本的な動作は以下のようになる。なお、図２には無線通信ユニット３０Ａの動作が示されているが、無線通信ユニット３０Ｂにおいても同様に動作する。
無線通信ユニット３０Ａは定期的にサーチ信号（Ａ１，・・・，Ａｉ）を携帯端末装置２０に向けて送信する。このサーチ信号Ａｉを受信した携帯端末装置２０はサーチ信号Ａｉに含まれる無線通信ユニット３０ＡのＩＤとＩＤ記憶部２１ｂに保存されている自己（携帯端末装置）のＩＤとを認証制御部２１ｃで照合し、あらかじめ登録されている組み合わせのＩＤであれば認証送受信部２１aより応答信号Ａｉ´を無線通信ユニット３０Ａに返す。無線通信ユニット３０Ａも応答信号Ａｉ´を受信すると、応答信号に含まれる携帯端末装置２０のＩＤとＩＤ記憶部３１ｂに保存されている自己（無線通信ユニット）のＩＤとを制御部３１ｃで照合する。お互いに確認ができたあとは、乱数を暗号化したデータ(認証信号Ａｉ)を無線通信ユニットから送り、無線通信ユニット３０Ａからの認証信号を受信した携帯端末装置２０はそれを複合化したデータ(認証信号Ａｉ')を送ることで認証を行う。
【００２３】
この認証信号ＡiおよびＡｉ’を送る認証動作は一定時間ごとに繰り返し行われ、携帯端末装置２０と無線通信ユニット３０Ａとがお互いに認証されている間は問題なく携帯端末装置２０を操作することができる。
一方、認証が途切れた場合には、認証制御部２１ｃから制御部２５に対して、携帯端末装置２０の操作に制限がかかるように制御される。また、無線通信ユニット３０Ａは警報通知部３３より警報を発する。
【００２４】
次に、複数の無線通信ユニット３０Ａ、３０Ｂと認証が行われる場合の動作を図３に基づいて説明する。
図３に示すように、携帯端末装置２０と無線通信ユニット３０Ａが認証している状態で、携帯端末装置２０から離れて認証されていなかった別の無線通信ユニット３０Ｂに接近したとすると、携帯端末装置２０は無線通信ユニット３０Ｂからサーチ信号Ｂ５を受信し、認証動作を始める。このとき、認証制御部２１ｃはＩＤ記憶部２１ｂに記憶されている自己(携帯端末装置)の持つＩＤと無線通信ユニット３０Ｂから受信したＩＤとを照合し、あらかじめ登録されている組み合わせのＩＤであれば、無線通信ユニット３０Ｂに対しても前述の通り認証動作を行う。
【００２５】
ところで、携帯端末装置２０は照合された無線通信ユニット３０Ａ、３０ＢのＩＤ(以下、照合ＩＤと呼ぶ。）の数をカウントし、ＩＤ記憶部２１ｂに保存しておくことで複数の無線通信ユニットと認証状態にあるかどうか把握することができる。
ここでは照合ＩＤの数は２個になるので、携帯端末装置２０は複数の無線通信ユニット３０Ａ、３０Ｂと認証状態にあると判断し、無線通信ユニット３０Ａ、３０Ｂに認証信号を送る場合には制御信号生成部２１ｄにて生成される複数と認証していることを示す制御信号Ａ’、Ｂ’を認証信号Ａ’、Ｂ’に各々付加して送信する。制御信号Ａ’、Ｂ’を受け取った無線通信ユニット３０Ａ、３０ＢはともにＳＷ３２を用いて警報通知部３３（図１参照）をＯＦＦにする。
【００２６】
その後、例えば、携帯端末装置２０と無線通信ユニット３０Ａが離れた場合を考えると、無線通信ユニット３０Ａは認証信号Ａ７を送出するが、携帯端末装置２０に届かないため、携帯端末装置２０からの認証信号は当然返ってこない。このため、無線通信ユニット３０Ａは認証が切れたと判断するが、直前の認証信号Ａ６’に付加された制御信号Ａ６’より、複数の無線通信ユニット３０Ａ、３０Ｂと認証状態だったことが通知されており、警報通知部３３はＯＦＦとなっているため、警報通知は行わない。
一方、携帯端末装置は無線通信ユニット３０Ａからの認証信号Ａ7を受信できないので、認証が切れたと判断し、ＩＤ記憶部２１ｂに保存されている照合ＩＤを更新する。
【００２７】
ここで、携帯端末装置２０が認証している無線通信ユニットは無線通信ユニット３０Ｂの１つになったので、無線通信ユニット３０Ｂに対する認証信号Ｂ２に制御信号Ｂ２’を付加するのをやめる。
無線通信ユニット３０Ｂは携帯端末装置２０からの認証信号Ｂ２´に制御信号Ｂが付加されなくなったので、警報通知部３３をＳＷ３２によりＯＮに戻す。
【００２８】
以上、前述した第１実施形態にかかる使用制限システム１０によれば、携帯端末装置２０との間で認証を行う無線通信ユニットが３０Ａ、３０Ｂのように複数ある場合には、認証が行われている無線通信ユニット３０Ａ、３０Ｂに対して、複数の無線通信ユニットと認証状態にあることを通知しているので、いずれかの無線通信ユニットとの認証が途切れても、警報が鳴らない。
これにより、いずれかの無線通信ユニットと認証状態であるにもかかわらず警報が発せられるのを防止することができ、使用者の利便性を高めることができる。
なお、万が一、携帯端末装置２０と複数の無線通信ユニットが３０Ａ、３０Ｂとの認証全てが同時に途切れた場合、警報は発せられないが携帯端末装置２０には使用制限がかかるため、セキュリティは保たれる。
【００２９】
次に、本発明に係る第２実施形態を図面に基づいて詳細に説明する。
図４は本発明の使用制限システムに係る第２実施形態を示す構成図、図５は本発明に係る使用制限システムの動きを示すタイムチャート、図６は本発明に係る無線通信ユニットのスリープ状態の動きを示すフローチャートである。
なお、前述した第１実施形態と共通する部位には同じ符号を付すこととする。
【００３０】
認証が行われている複数の無線通信ユニット３０Ａ、３０Ｂのうちのいずれかの無線通信ユニット３０Ａ（３０Ｂ）を優先させたい場合には、その他の無線通信ユニット３０Ｂ（３０Ａ）を一時的にスリープ状態とする。
なお、このスリープ状態にある無線通信ユニット３０Ａ（３０Ｂ）のスリープ状態は延長可能である。
【００３１】
図４に示すように、携帯電話等の携帯端末装置２０は、内部に無線認証部２１を有しており、携帯端末装置２０と無線通信ユニット３０Ａ，３０Ｂとの認証を行う。無線認証部２１には、ＩＤの送信または受信を行う認証送受信部２１ａ、認証を行うためのＩＤを記憶するＩＤ記憶部２１ｂ、ＩＤ記憶部２１ｂの持つＩＤと受信したＩＤの照合を行うとともに、認証が正しく行われている場合には携帯端末装置２０の使用制限にを解除し、認証が誤っている場合には携帯端末装置２０の使用を制限する認証制御部２１ｃ、複数の無線通信ユニットと認証されていることを示す制御信号を生成する制御信号生成部２１ｄを備えている。また、スピーカ２２、表示部２３、ボタン入力部２４、これらおよび無線認証部２１を制御する制御部２５、さらに、送受信部２６を備えている。なお、電源である電池２７も有している。
【００３２】
一方、無線通信ユニット３０にも無線認証部３１が設けられており、送受信部３１ａ、ＩＤ制御部３１ｂ、制御部３１ｃおよび一定時間動作を停止（スリープ）させるためのタイマー３１ｄを有している。
さらに、制御信号に従い警報通知部のＯＮ、ＯＦＦを行うスイッチ３２、携帯端末装置と無線通信ユニットとの認証が切れたときに通知する警報通知部３３を有しており、電源である電池３４も有している。
【００３３】
次に、本発明に係る使用制限システムの動きを図５を参照して説明する。携帯端末装置２０と複数の無線通信ユニット３０Ａ、３０Ｂとが認証状態にある場合に無線通信ユニットＡを優先させたとする。優先する無線通信ユニットの選択方法は、表示部２３に認証されている複数の無線通信ユニットを表示させ、ボタン入力部２４などの操作により無線通信ユニットＡを選択する。
【００３４】
携帯端末装置２０は無線通信ユニットＡとの認証は通常通り行うが、無線通信ユニットＢとの認証には、認証信号Ｂ２に対して認証信号Ｂ２´に制御信号Ｂ２´を付加するように、優先するように設定されなかったことを示す制御信号を付加して送信する。制御信号Ｂ２´を受信した無線通信ユニットＢはタイマー３１ｄを作動させ、所定の時間スリープ状態に入る。スリープ状態が終わると再びサーチ信号Ｂ１を送信し、認証手続きを開始するが、先程の優先設定が継続されている場合、携帯端末装置２０は無線通信ユニット３０Ｂに対しての応答信号Ｂ１´に制御信号Ｂ１´を付加して送信する。制御信号Ｂ１´を受信した無線通信ユニット３０Ｂは再びスリープ状態に入る。
【００３５】
次に、図６を参照して、無線通信ユニット３０Ｂがスリープ状態に入る場合の動作を説明する。
開始して（ステップＳＳ）、優先するように選択されなかった無線通信ユニット３０Ｂはスリープ状態にさせるための制御信号Ｂが付加された認証信号Ｂ’を受信する（ステップＳ１）。スリープ状態にさせるための制御信号Ｂを受信した無線通信ユニット３０Ｂはタイマー３１ｄを作動させ（ステップＳ２）、一定の時間動作を停止（スリープ）する（ステップＳ３）。一定時間後、タイマー３１ｄがゼロになったら（ステップＳ４）、スリープ状態にあった無線通信ユニット３０Ｂは認証を始めるためにサーチ信号Ｂを出力する（ステップＳ５）。これを受信した携帯端末装置２０は無線通信ユニット３０Ａの優先を継続したい場合には応答信号Ｂに制御信号Ｂを付加して送信する（ステップＳ６）。これを受信した無線通信ユニット３０ＢはステップＳ２に戻って再びタイマー３１ｄを作動させてスリープ状態を継続する（ステップＳ７）。
【００３６】
なお、ステップＳ７において優先を継続したい制御信号Ｂが付加されて送信されていない場合には、無線通信ユニット３０Ａの優先を解除して通常の認証に戻り（ステップＳ８）、それ以後は実施の形態1と同様の動作をして終了する（ステップＳＥ）。
【００３７】
なお、ここでは表示部２３に認証されている複数の無線通信ユニットを表示させ、ボタン入力部２４などの操作により、携帯端末装置２０が優先させたい無線通信ユニットを選択するとしたが、あらかじめ複数の無線通信ユニットの優先順位を決定しておき、自動的に優先する無線通信ユニットを選択しても良い。この場合、無線通信ユニットの優先順位はＩＤ記憶部21ｂに記憶され、照合ＩＤと比較することで決定される。
【００３８】
以上、前述した使用制限システム１０によれば、携帯端末装置２０との間で認証を行う無線通信ユニットが３０Ａ、３０Ｂのように複数ある場合において、いずれかの無線通信ユニット３０Ａ、（３０Ｂ）を優先した場合には、他の無線通信ユニット３０Ｂ、（３０Ａ）を一定時間スリープ状態とするので、優先されなかった無線通信ユニット３０Ｂ、（３０Ａ）の警報が鳴らないように制限することができる。
【００３９】
なお、本発明の使用制限システムは、前述した各実施形態に限定されるものでなく、適宜な変形、改良等が可能である。
例えば、前述した各実施形態においては、無線通信ユニット３０Ａ、３０Ｂが２台の場合について説明したが、本発明の使用制限システムは３台以上の場合についても適用可能である。
【産業上の利用可能性】
【００４０】
以上のように、本発明に係る使用制限システムは、携帯端末装置との間で認証を行う無線通信ユニットが複数ある場合には、いずれかの無線通信ユニットとの認証が途切れても、認証が行われている無線通信ユニットが複数あることを通知するとともに、警報が鳴らないように制限するので、従来のように、認証可能であるにもかかわらず警報が発せられるという問題を解消でき、認証可能であるにもかかわらず警報が発せられるのを防止することができるという効果が得られるという効果を有し、携帯端末装置と、この携帯端末装置を作動可能にするための無線通信ユニットとを備え、携帯端末の使用を制限する使用制限システム等として有用である。
【図面の簡単な説明】
【００４１】
【図１】本発明の使用制限システムに係る第１実施形態を示す構成図である。
【図２】無線認証の基本的動作を示すタイムチャートである。
【図３】本発明の第１実施形態に係る使用制限システムの動きを示すタイムチャートである。
【図４】本発明の使用制限システムに係る第２実施形態を示す構成図である。
【図５】本発明の第２実施形態に係る使用制限システムの動きを示すタイムチャートである。
【図６】本発明の第２実施形態に係る無線通信ユニットＢがスリープ状態に入る場合の動きを示すフローチャートである。
【符号の説明】
【００４２】
１０  使用制限システム
２０  携帯端末装置
３０Ａ、３０Ｂ  無線通信ユニット
【図１】
2007019945.tif 000003
【図２】
2007019945.tif 000004
【図３】
2007019945.tif 000005
【図４】
2007019945.tif 000006
【図５】
2007019945.tif 000007
【図６】
2007019945.tif 000008